(57)【特許請求の範囲】
【請求項１】
平坦な面及び湾曲した面（３８）の両方に安定して載置されるように形づくられるベース（６）と、
タブレット（４）に接続されて、それによって制御されることを意図されるキー加工機械（８）に前記ベース（６）を取り外し可能に確実に固定するための機械的手段（１０、１２）と、
前記ベース（６）の上面に固定される管状要素（１４）と、
前記管状要素（１４）の内部で収容されて、それに対して回転させることができる円筒部材（１６）と、
前記タブレット（４）の下端を設置し、結合するための第１の載置及び結合手段（２０、２２）、及び、前記タブレット（４）の上端を設置し、結合するための第２の載置及び結合手段（２４、３０）と
を備え、
前記第１の載置及び結合手段（２０、２２）及び前記第２の載置及び結合手段（２４、３０）が、互いにある角度をなして配設されて、前記管状要素（１４）に対してそれとともに回転するように前記円筒部材（１６）と関連し、
前記第１の載置及び結合手段（２０、２２）の水平部分（２２）と前記第２の載置及び結合手段（２４、３０）の上部（３０）との相対的な距離が調節可能である
ことを特徴とする、  タブレットコンピュータ（４）のための支持物（２）。
【請求項２】
前記円筒部材（１６）がその末端部分（１８）両方によって前記管状要素（１４）から出て、前記タブレット（４）の下端及び上端それぞれについて、前記第１の載置及び結合手段（２０、２２）及び前記第２の載置及び結合手段（２４、３０）がそれと関連することを特徴とする、請求項１に記載の支持物。
【請求項３】
前記第１の載置及び結合手段が一対の第１の形づくられた棒（２０）を備え、
前記第２の載置及び結合手段が一対の第２の形づくられた棒（２４）を備えることを特徴とする、請求項１または２に記載の支持物、
【請求項４】
前記一対の第１の形づくられた棒（２０）及び／または前記一対の第２の形づくられた棒（２４）が、
前記円筒部材（１６）の対応する末端部分（１８）に挿入される直線部分と、
前記タブレット（４）の前記下端及び上端それぞれに引っかけることが意図されるフック形末端部分とを備える、ことを特徴とする、請求項３に記載の支持物。
【請求項５】
前記一対の第１の形づくられた棒（２０）および前記一対の第２の形づくられた棒（２４）の２つの前記フック形末端部分が、その対応する水平端部の近くで、使用中、前記タブレット（４）の前に配設される部分（２２、３０）によって互いに接合されることを特徴とする、請求項４に記載の支持物。
【請求項６】
前記一対の第１の形づくられた棒（２０）または前記一対の第２の形づくられた棒（２４）の各棒が、前記円筒部材（１６）の対応する末端部分（１８）に設けられる穴の中に、摩擦とともに摺動可能な少なくとも１つの直線部分を備えることを特徴とする、請求項３〜５のうちいずれか一項に記載の支持物。
【請求項７】
前記円筒部材（１６）の各末端部分（１８）が、前記末端部分（１８）に挿入される前記一対の第１の形づくられた棒（２０）または前記一対の第２の形づくられた棒（２４）の各棒の前記直線部分上で弾力的に作用するプッシャ（２８）を備えることを特徴とする、請求項４に記載の支持物。
【請求項８】
前記管状要素（１４）が、前記円筒部材（１６）の外面上に画定される平行溝（３４）で、それらの突出部分を介して、弾力的に作用する少なくとも１つのプッシャ（３２）を備えることを特徴とする、請求項１〜７のうちいずれか一項に記載の支持物。
【請求項９】
前記ベース（６）が底部で湾曲し、平坦面及び曲面の両方の上に確実に載置できることを特徴とする、請求項１〜８のうちいずれか一項に記載の支持物。
【請求項１０】
前記ベース（６）の底部が、略長方形の平面であり、２つの直線の平行な側面と、湾曲した他の２つの側面とを有することを特徴とする、請求項１〜９のうちいずれか一項に記載の支持物。
【請求項１１】
前記ベース（６）の底部が、円筒面部分からなることを特徴とする、請求項１〜１０のうちいずれか一項に記載の支持物。
【請求項１２】
前記ベース（６）をキー加工機械（８）に固定するための前記機械的手段が、前記ベース（６）に設けられるスロット（１０）を貫通し、前記キー加工機械（８）で設けられる対応する穴で係合するピン（１２）を備えることを特徴とする、請求項１〜１１のうちいずれか一項に記載の支持物。
【請求項１３】
前記ベース（６）は、上方へ向くその凹面を有する円筒部として形づくられるシートを上方に備え、前記管状要素（１４）を確実に受けることを特徴とする、請求項１〜１２のうちいずれか一項に記載の支持物。
【請求項１４】
前記ベース（６）の円筒部として形づくられる前記シートの曲率が、前記管状要素（１４）の曲率に対応することを特徴とする、請求項１３に記載の支持物。
【請求項１５】
前記管状要素（１４）が、それに対する前記円筒部材（１６）の回転を係止するための手段（３６）を備えることを特徴とする、請求項１〜１４のうちいずれか一項に記載の支持物。
【請求項１６】
前記管状要素（１４）に対する前記円筒部材（１６）の前記回転を係止するための前記手段が、その端部が前記円筒部材（１６）の外面に係合するまで前記管状要素（１４）を貫通するねじ切りされたピン（３６）を備えることを特徴とする、請求項１５に記載の支持物。
【請求項１７】
前記ベース（６）の底部が、前記底部の表面から突出する形状（３７）を備え、前記機械（８）で設けられる対応するスロット（図示せず）に係合することが意図されることを特徴とする、請求項１〜１６のうちいずれか一項に記載の支持物。
【請求項１８】
収納筐体を備え、
請求項１〜１７のうちいずれか一項に記載の支持物（２）が、前記収納筐体の外面に取り外し可能に確実に固定されることを特徴とする、キー加工機械（８）。
【請求項１９】
前記支持物（２）が、前記収納筐体の曲面と対応する位置に固定されることを特徴とする、請求項１８に記載の機械。
【発明の詳細な説明】
【技術分野】
【０００１】
本発明は、タブレットコンピュータ支持物に関する。
【背景技術】
【０００２】
以下、「タブレットコンピュータ」または単に「タブレット」は、「タブレット」として構成され、使用者に利用可能な実質的に唯一の入力システムを形成するタッチスクリーンディスプレイが提供される携帯型コンピュータを意味する。
【０００３】
タブレットをカバーすることを可能にすることに加えて、タブレットを支持するように、垂直に対して後方にわずかに傾いた位置で好適に折りたたむことができるタブレットホルダが知られている。
【０００４】
タブレットを支持する一連のフックからなるタブレット支持物、及び、伝統的な機械的手段（マグネット、吸盤、ブラケットなど）による、卓上あるいは自動車のダッシュボードまたはフロントガラスなどの異なる表面への固定が意図される１つまたは複数のアームからなるタブレット支持物も知られている。
【発明の概要】
【発明が解決しようとする課題】
【０００５】
しかし、これらの既知の支持物は、完全に満足できるものではなく、特に、タブレットの使用を必要とする、特に、キーの加工機械（きりぬき、柄のみぞ削り、彫り込みなど）などの機械と、容易にかつ確実に関連づけることができない。
【０００６】
より詳細には、キーの特性は通常、データベースに記憶され、それはキーを加工する時点で、好適に参照されなければならない。この参照を効果的に実現するために、通常、機械の上に設けられるＵＳＢポートに従来のケーブルで容易に接続でき、データベース及び機械のオペレーティングソフトウェアを更新するために使用できるタブレットを使用する。
【０００７】
しかし、現在、キー加工機械上への取付けに好適であると実証されている、及び／または、特にその中に組み込まれている工具（ミリングカッタ、パンチなど）によって発生する振動を受けるときにキー処理機械と組み合わせて使用されている、既知のタイプの支持物は存在しない。
【０００８】
さらに、既知の支持物は通常、明確に画定された寸法を有する単一のタイプのタブレットに対して使用可能であり、それゆえ、特に、現在、６〜１０インチの範囲の寸法のディスプレイを有するタブレットが利用可能であり、大型のタブレットの場合２０インチにさえ達することを考えると、異なる形状及び寸法のタブレットを支持するために使用されることができない。
【０００９】
これらの既知の支持物のいくつかは、特に複雑な構造であり、そのため、コストがかかり、信頼性が低いという別の事実がある。
【００１０】
独国特許第２４２３４６８号明細書は、タブレットではなく、ノートブックで使用可能な回転支持物を説明している。より詳細には、この支持物は、平坦面に排他的に置くことができる円形ベースを示し、よって、前記支持物は、一般に曲面体を有するキー加工機械と組み合わせての使用に好適ではない。さらに、ノートブックを収容するためのシートが、下方にフック部が設けられる２本の棒によってのみ画定されるという事実は、特に、キー加工機械によって発生するかなりの振動が存在するときに、タブレット（ノートブックよりかなり軽い）を十分かつ確実に支持するのに好適でないことを意味する。
【００１１】
国際公開第２０１２／１５５０４７号パンフレットは、ガラス壁自体を通して参照することができるような、ガラス壁への取付けのためのタブレット支持物を説明している。特に、この支持物は、平坦な壁上に載置され、それと平行であり続けるように、タブレットを支持する場合のみ好適である。さらに、この支持物は、タブレットを平坦なガラス壁に近接離間するように回転させることができる、支持ベースのまわりで一対のアームを蝶番式に動かすための第１の接合部と、前記一対のアームのまわりに少なくとも１８０°タブレットを回転させるための第２のヒンジ接合部との存在を備えるため、構造的にかなり複雑である。さらに、この支持物において、ベースには、タブレットを再充電するためのソケットを設けなければならず、それは、給電ケーブルのために、ベース内部に好適な通路を設けられなければならないことを意味する。
【００１２】
米国特許第５１０００９８号明細書は、タブレットのための支持物及び保護構造を説明している。特に、この構造は、ハンドルとして働くピンによって蝶番式に連結される２つの等しい平坦部分を備える。タブレットの後部は、２つの平坦部分のうちの１つに完全に付着し、スナップ係合手段によってそれに固定される。より詳細には、構造の２つの有効な構成が提供される。１つは輸送のために閉じられた構成であり、２つの平坦部分は、それを保護するように、タブレットのまわりで閉じられる。もう１つはタブレットの使用のために開かれた構成であり、タブレットと係合しない部分が、他方に対してある角度をなし、支持ベースを画定するように平坦面に載置される。この構造は、キー加工機械に取り外し可能に適用するには好適ではなく、さらに、前記回転可能な平坦部分の寸法と等しい寸法を有するタブレットのみ使用可能である。
【課題を解決するための手段】
【００１３】
本発明の目的は、タブレットコンピュータに固有であり、異なる機械、特に、キー加工機械に容易かつ確実に固定することができる支持物を提案することである。
【００１４】
本発明の別の目的は、異なる寸法のタブレットコンピュータに適応できる支持物を提案することである。
【００１５】
本発明の別の目的は、簡単な構造で、迅速かつ確実に使用でき、低コストである、タブレットコンピュータのための支持物を提案することである。
【００１６】
これらすべての目的及び以下の説明から明らかであるその他の内容は、請求項１に示される特性を有するタブレットコンピュータ支持物によって、及び、請求項１８に示される特性を有するキー加工機械によって、本発明に従って達成される。
【００１７】
本発明の好ましい実施形態は、添付図面を参照して以下に記載される。
【図面の簡単な説明】
【００１８】
【図１】図１は、本発明によるタブレットコンピュータ支持物の斜視図である。
【図２】図２は、下から見た支持物の部分断面図である。
【図３】図３は、図２の線ＩＩＩ〜ＩＩＩについての支持物を通しての断面を示す。
【図４】図４は、タブレットが設けられ、キー加工機械に適用された支持物の斜視図を示す。
【発明を実施するための形態】
【００１９】
図から分かるように、タブレットコンピュータ４のための本発明による支持物２は、下向きに湾曲した内部が中空のベース６を備え、前記支持物が、完全に平坦な面及びわずかに湾曲した面の両方に確実に載置されることを可能にする。
【００２０】
好ましくは、ベース６の底部（すなわち下面）は、略長方形の平面であり、２つの直線の平行な横方向の側面と、わずかに湾曲した他の２つの側面とを有する。より詳細には、ベース６の底部は、支持物が適用される機械８のケースの外面の曲率に好適に対応する曲率を有する円筒面部分からなる。この構成は、２つの直線の側面による平坦面での安定した載置を可能にし、キー複製機械８の表面、または、キー加工（きりぬき、柄のみぞ削り、彫り込みなど）のための通常の任意の他の機械の表面などの、わずかに湾曲した表面上に、ベース６の底部全体が確実に載置されることも可能にする。
【００２１】
ベース６には、機械的に安定しているが取り外し可能な機械８への固定のための手段が設けられる。好ましくは、これらは、ベース６の前部に設けられ、事前にその中に設けられたねじ穴と対応する位置での機械８への固定のためのスクリューまたはピン１２が通り抜けることが意図されるスロット１０を備える。
【００２２】
より詳細には、ベース６の形状及びその上の固定手段の存在は、キー加工中に後者によって発生する振動にも耐えることなど、複製機械８上での支持物２の接続及び位置決めを特に安定させることに寄与する。さらに、ノートブックとは対照的に、使用者のタブレットコンピュータとの対話は、指または他の機器（好適なペンなど）を、タッチスクリーン上に直接押しつけることによって行われる。これを踏まえると、複製機械８に支持物２を固定するための前記手段の存在が、支持物２上に設置されるテーブル４のスクリーン上で使用者によって発生される不可避の動作からもたらされる力に耐えることができる安定した接続を保証することは明らかである。
【００２３】
ベース６は、上方へ向くその凹面を有する円筒部として形づくられ、管状要素１４を確実に受けることが意図されるシートを上方に示す。これらの構成要素間の接続の安定性は、ベース６の円筒部形のシートの曲率が管状要素１４の曲率に実質的に対応するという事実から好適に得られる。
【００２４】
略水平に延在する円筒部材１６は、管状要素１４の内部を貫通し、２つの末端部分１８として管状要素１４の端部から出てくる。
【００２５】
支持物２は、タブレット４の下端に載置し、取り外し可能に結合するための第１の手段も備える。それは２本の平行な第１の棒２０を備え、それぞれが円筒部材１６の対応する末端部分１８に直径に沿って挿入される直線部分を備え、フックとして形づくられる、またはタブレット４の下端に確実に結合させるために別様に好適である水平部分２２によって、他の棒に接続される。
【００２６】
支持物２は、タブレット４の上端に載置し、結合するための第２の手段も備える。これらは、タブレットの後部に載置するための第２の棒２４を備える。同じようにこれらは、それぞれが円筒部材１６の対応する末端部分１８に直径に沿って挿入される直線部分を備え、また、フックとして形づくられる、またはタブレット４の上端に確実に結合させるために別様に好適である上部３０によって互いに接続され、
【００２７】
タブレット４上に載置し、結合するための第１の手段の棒２０及び第２の手段の棒２４は、互いにある角度をなして配設され、好ましくは、たとえば、９０°より実質的に大きい角度を画定する。さらに、タブレット４上に載置し、結合するための前記手段の棒２０及び２４の対はどちらも、円筒部材１６と関連し、たとえば、前記管状要素１４のまわりでそれとともに回転する。
【００２８】
より詳細には、円筒部材１６の各末端部分１８において、第２の棒２４が摺動自在に係合する貫通穴が設けられる。この目的のために、各末端部分１８において、軸座２６は、第１のプッシャ２８、すなわち、その好ましくは球状端部を付勢するばねが内部に設けられ、対応する末端部分１８に挿入される第２の棒２４のその部分と接触し、摩擦によって係合するプランジャを収容するために設けられる。
【００２９】
これを可能にする各第１のプッシャ２８の球体と棒２４との間の摩擦係合は、好適に円筒部材１６に対する安定した位置を維持し、同時に、使用者による手動での調整介入の結果として、その軸に沿って移動させることができる。
【００３０】
ここで示されない代替的な実施形態において、第１の棒２０も、好ましくは第２の棒２４に関してすでに記載された同一の方法で、調節可能である。
【００３１】
また、２つの第２のプッシャ３２が設けられ、ベース６及び管状要素１４に固定され、操作上は第１のプッシャ２８と同様である。特に、各第２のプッシャ３２の弾性要素は、その球状端部を付勢し、円筒部材１６の外面に画定される、対応する隣接した水平スロット３４に弾力的に係合する。このようにして、円筒部材１６が管状要素１４に対して回転するとき、第２のプッシャ３２は、第１の棒２０及び第２の棒２４のベース６に対する傾斜を同時に調整できるように、続くスロット３４にスナップ係合する。換言すれば、これは、タブレット４の傾斜を可能にし、それぞれ水平部分２２及び３０によって上方及び下方で適切に結合される、支持物２のベース６に対して調整される。
【００３２】
さらに、その端部が摩擦によって円筒部材１６の外面を係合するまで管状要素１４の後部を貫通するねじ切りされたピン３６が設けられ、管状要素に対してその回転を係止し、よって、支持物２のベース６に対するタブレット４の特定の傾斜を確実に維持する。
【００３３】
図４から分かるように、本発明による支持物２は、たとえば従来のキー複製機械の表面など、その適用する表面がわずかに湾曲している場合でも、キー加工機械８に適用することができる。この場合、支持物２のベース６の底部は、機械８の上方曲面３８に完全に載置され、ベース６のスロット１０を貫通したあと、支持物２を機械８に確実に接続するスクリュー１２によって後者に確実に固定される。
【００３４】
有利なことには、ベース６は、ベースの下面から張り出す形状３７を示し、機械８の曲面３８に設けられる対応するスロット（図示せず）に係合することが意図される。これにより、支持物２を機械８上に容易かつ迅速に位置付ける。
【００３５】
次いで、第２の棒２４は上方へ摺動され、たとえば、タブレット４の挿入に十分な空間を画定するような範囲まで、第１の棒２０を接続する部分２２からそれらの接続部分３０を引き抜く。次いで、タブレット４は、その下端を第１の棒２０の前記部分２２に置くことによって設置されると、第２の棒２４は、上部３０がタブレットの上端に引っかかるまで、下向きに摺動される。
【００３６】
上述の内容から、本発明による支持物は、以下の点で特に好適であることは明らかである。任意の作業面に置くことができるが、特に、キー加工機械上に取り付けるために特に好適であり、前記機械によって発生する振動及び使用者がタブレットのタッチスクリーンディスプレイに与える圧力に耐える。実質的に任意の寸法のタブレットコンピュータを確実に支持することができる。容易かつ迅速に調整できる。堅牢で、簡単で、そして低コストである。
【図１】
0006534004.tif 000002
【図２】
0006534004.tif 000003
【図３】
0006534004.tif 000004
【図４】
0006534004.tif 000005